Podtech/llm-jp-corpus-v4-ja_patent huggingface dataset:
【手続補正書】
【提出日】令和1年5月30日(2019.5.30)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
定期的に発生するバックアップ条件が成立したときに、第１の情報を一括してバックアップする一括バックアップ処理と、
定期的に発生するバックアップ条件が成立したときに、第２の情報を分割してバックアップする分割バックアップ処理と、
を実行可能であり、
前記第１の情報は、遊技機に設けられた操作手段によって設定可能な設定情報である、遊技機。
【手続補正２】
【補正対象書類名】明細書
【補正対象項目名】０００５
【補正方法】変更
【補正の内容】
【０００５】
（１）本発明に係る遊技機は、遊技を行うことが可能な遊技機（例えば、図１に示す、遊技機１等）であって、
定期的に発生するバックアップ条件が成立したときに（例えば、図２９の「節電設定」等のデータを更新した後に、演出制御用ＣＰＵ１２０によって、定期的に発生する割込み処理によって図２４のタイマ割込みフラグがオン状態であると判断されたとき（ステップＳ７２；ＹＥＳ）に実行される演出制御バックアップ処理（ステップＳ７７）において、図２８のステップＳ７７１の処理でバックアップ条件が成立したと判断されたときに）、第１の情報（例えば、図２９における「システムデータ」、又は「節電設定」等の特定の情報）を一括してバックアップする一括バックアップ処理（例えば、演出制御用ＣＰＵ１２０によって実行される、図３１又は図３２に示す一括バックアップ処理等）と、
定期的に発生するバックアップ条件が成立したときに、第２の情報（例えば、図２９における「回転数」、「種別大当り回数」等の情報）を分割してバックアップする分割バックアップ処理（例えば、演出制御用ＣＰＵ１２０によって実行される、図３３〜図３７のいずれか１つに示す分割バックアップ処理）と、を実行可能であり、
前記第１の情報は、遊技機に設けられた操作手段（例えば、図２に示す、スティックコントローラ３１Ａ、プッシュボタン３１Ｂ等）によって設定可能な設定情報（例えば、図２９に示す、「節電設定」の情報、又は「実機カスタマイズ」の情報等）である。
【手続補正書】
【提出日】令和1年5月16日(2019.5.16)
【手続補正１】
【補正対象書類名】特許請求の範囲
【補正対象項目名】全文
【補正方法】変更
【補正の内容】
【特許請求の範囲】
【請求項１】
有利条件が成立したときに遊技者にとって有利な有利状態に制御可能な遊技機であって、
遊技媒体が入賞容易な第１状態と、遊技媒体が入賞困難な第２状態とに変化可能な可変入賞手段と、
前記有利状態において、少なくとも遊技媒体が所定数入賞するまで前記第１状態に変化させることが可能な開放遊技を所定回実行する可変入賞制御手段と、
一の開放遊技において、遊技媒体が前記所定数を超えて前記可変入賞手段に入賞したことに基づいて、特定演出を実行可能な特定演出実行手段と、を備え、
前記特定演出実行手段は、
前記所定数目の入賞と前記所定数目の入賞の後の入賞とが特定期間内において連続したときに、前記特定演出の実行を制限する
ことを特徴とする遊技機。
【請求項２】
有利条件が成立したときに遊技者にとって有利な有利状態に制御可能な遊技機であって、
遊技媒体が入賞容易な第１状態と、遊技媒体が入賞困難な第２状態とに変化可能な可変入賞手段と、
前記有利状態において、少なくとも遊技媒体が所定数入賞するまで前記第１状態に変化させることが可能な開放遊技を所定回実行する可変入賞制御手段と、
一の開放遊技において、遊技媒体が前記所定数を超えて前記可変入賞手段に入賞したことに基づいて、特定演出を実行可能な特定演出実行手段と、を備え、
前記特定演出実行手段は、
前記所定数目の入賞の後の複数の入賞が特定期間内において連続したときに、前記特定演出の実行を制限する
ことを特徴とする遊技機。
【手続補正２】
【補正対象書類名】明細書
【補正対象項目名】０００６
【補正方法】変更
【補正の内容】
【０００６】
（１）上記目的を達成するため、本発明の一態様による遊技機は、有利条件（例えば、大当り図柄、突確図柄、小当り図柄等の導出表示等）が成立したときに遊技者にとって有利な有利状態（例えば、大当り遊技状態、突確、小当り等）に制御可能な遊技機であって、遊技媒体（例えば、遊技球等）が入賞容易な第１状態（例えば、開放状態等）と、遊技媒体が入賞困難な第２状態（例えば、閉鎖状態等）とに変化可能な可変入賞手段（例えば、特別可変入賞球装置７等）と、前記有利状態において、少なくとも遊技媒体が所定数（図２３の大当り開放中処理のステップＳ１２６に示した入賞上限判定値に対応する数。例えば１０個等）入賞するまで前記第１状態に変化させることが可能な開放遊技（例えば、大当り遊技状態におけるラウンド遊技、突確や小当りにおいて開放状態となる制御等）を所定回（例えば、第１大当りの場合は６回、第２大当りの場合は１６回等）実行する可変入賞制御手段（例えば、図２１の大当り開放前処理のステップＳ１３９の処理や図２５の大当り開放後処理のステップＳ３６５、ステップＳ３６８の処理等）と、一の開放遊技（例えば、全部又は一部のラウンド遊技）において、遊技媒体が前記所定数を超えて前記可変入賞手段に入賞（例えば、オーバー入賞等）したことに基づいて、特定演出（例えば、図３８のステップＳ９０６において実行される、オーバー入賞を報知するオーバー入賞演出等）を実行可能な特定演出実行手段（例えば、図３８に示したオーバー入賞報知処理等）と、を備え、前記特定演出実行手段は、前記所定数目の入賞（例えば、入賞上限判定値に対応する１０個目の入賞）と前記所定数目の入賞の後の入賞（例えば、１１個目の入賞や１２個目の入賞や１３個目の入賞等）とが特定期間（例えば、図３８のステップＳ９０３においてタイマ初期値としてセットされる報知制限時間タイマ値に対応する期間（例えば約０．４秒等）等）内において連続したときに（例えば、図３８のステップＳ９０５に示すように報知制限時間タイマ値がタイムアウトする前に１１個目の入賞があったときは）、前記特定演出の実行を制限する（例えば、全部を実行しない。一部を実行する。出力の程度を抑えて実行する等）。
【手続補正３】
【補正対象書類名】明細書
【補正対象項目名】０００８
【補正方法】変更
【補正の内容】
【０００８】
（２）上記目的を達成するため、本発明の他の態様による遊技機は、有利条件（例えば、大当り図柄、突確図柄、小当り図柄等の導出表示等）が成立したときに遊技者にとって有利な有利状態（例えば、大当り遊技状態、突確、小当り等）に制御可能な遊技機であって、遊技媒体（例えば、遊技球等）が入賞容易な第１状態（例えば、開放状態等）と、遊技媒体が入賞困難な第２状態（例えば、閉鎖状態等）とに変化可能な可変入賞手段（例えば、特別可変入賞球装置７等）と、前記有利状態において、少なくとも遊技媒体が所定数（図２３の大当り開放中処理のステップＳ１２６に示した入賞上限判定値に対応する数。例えば１０個等）入賞するまで前記第１状態に変化させることが可能な開放遊技（例えば、大当り遊技状態におけるラウンド遊技、突確や小当りにおいて開放状態となる制御等）を所定回（例えば、第１大当りの場合は６回、第２大当りの場合は１６回等）実行する可変入賞制御手段（例えば、図２１の大当り開放前処理のステップＳ１３９の処理や図２５の大当り開放後処理のステップＳ３６５、ステップＳ３６８の処理等）と、一の開放遊技（例えば、全部又は一部のラウンド遊技）において、遊技媒体が前記所定数を超えて前記可変入賞手段に入賞（例えば、オーバー入賞等）したことに基づいて、特定演出（例えば、図４１のステップＳ９０６において実行される、オーバー入賞を報知するオーバー入賞演出等）を実行可能な特定演出実行手段（例えば、図４１に示したオーバー入賞報知処理等）と、を備え、前記特定演出実行手段は、前記所定数目の入賞の後の複数の入賞（例えば、１１個目の入賞や１２個目の入賞や１３個目の入賞等）が特定期間（例えば、図４１のステップＳ９０３においてタイマ初期値としてセットされる報知制限時間タイマ値に対応する期間（例えば約０．４秒等）等）内において連続したときに（例えば、図４１のステップＳ９０５に示すように報知制限時間タイマ値がタイムアウトする前に１２個目の入賞があったときは）、前記特定演出の実行を制限する（例えば、全部を実行しない。一部を実行する。出力の程度を抑えて実行する等）。
【手続補正書】
【提出日】平成30年12月6日(2018.12.6)
【手続補正１】
【補正対象書類名】特許請求の範囲
【補正対象項目名】全文
【補正方法】変更
【補正の内容】
【特許請求の範囲】
【請求項１】
遊技媒体が流通する領域と、  
制御手段の制御によって音を放音するスピーカと、を備え、  
前記スピーカは、前記領域近傍に配置され、磁気キャンセルマグネットを有することを特徴とする  
遊技機。
【請求項２】
前記遊技媒体の流通によって遊技状態を決定する入賞手段が配置された遊技領域を備え、  
前記スピーカは、前記遊技領域に投入直後の前記遊技媒体が流通する遊技媒体投入領域近傍に配置されていることを特徴とする  
請求項１に記載の遊技機。
【請求項３】
前記制御手段の制御によって音を放音する他のスピーカを備え、  
前記他のスピーカは、前記スピーカよりも前記遊技媒体投入領域から離れて配置され、磁気キャンセルマグネットを有していないことを特徴とする  
請求項２に記載の遊技機。
【手続補正２】
【補正対象書類名】明細書
【補正対象項目名】００１２
【補正方法】変更
【補正の内容】
【００１２】
さらに本発明の第４の手段に係る遊技機は、第２の手段または第３の手段に係る遊技機において、  
前記制御手段は、音データに基づいて前記スピーカ、前記他のスピーカから音を放音させ、前記音データが所定の種別の場合、前記スピーカから音を放音させることを特徴とする。
【手続補正３】
【補正対象書類名】明細書
【補正対象項目名】００１４
【補正方法】変更
【補正の内容】
【００１４】
さらに本発明の第５の手段に係る遊技機は、第１の手段から第３の手段の何れか１つに係る遊技機において、  
前記制御手段は、前記遊技状態（例えば、図４に示す遊技球を左打ち（矢印Ｂ）する遊技状態と、右打ち（矢印Ｃ）する遊技状態）に応じて前記スピーカの放音を制御する（例えば、図８の第１スピーカから放音させる状態（ステップＳ９０５）と、第１スピーカからの放音を抑制した状態（ステップＳ９０４））ことを特徴とする。
【手続補正４】
【補正対象書類名】明細書
【補正対象項目名】００１６
【補正方法】変更
【補正の内容】
【００１６】
さらに本発明の第６の手段に係る遊技機は、第４の手段の何れか１つに係る遊技機において、
前記制御手段は、前記遊技媒体投入領域内における前記遊技媒体の移動距離が少ない第１の遊技状態（例えば、図４に示す遊技球を左打ち（矢印Ｂ）する遊技状態）の場合は、前記スピーカから音を放音させ（例えば、図８の第１スピーカから放音させる状態（ステップＳ９０５））、前記遊技媒体投入領域内において前記遊技媒体の移動距離が多い第２の遊技状態（例えば、図４に示す遊技球を右打ち（矢印Ｃ）する遊技状態）の場合は、前記スピーカからの放音を抑制する（例えば、図８の第１スピーカからの放音を抑制した状態（ステップＳ９０４））ことを特徴とする。
【手続補正５】
【補正対象書類名】明細書
【補正対象項目名】００１８
【補正方法】変更
【補正の内容】
【００１８】
さらに本発明の第７の手段に係る遊技機は、第１の手段から第４の手段の何れか１つに係る遊技機において、  
制御手段の制御によって音を放音する補助スピーカ（例えば、図４の第３スピーカ８３）を備え、  
前記補助スピーカは、前記スピーカが出力しにくい音域（例えば、低域）を出力することを特徴とする。
【手続補正６】
【補正対象書類名】明細書
【補正対象項目名】００２０
【補正方法】変更
【補正の内容】
【００２０】
さらに本発明の第８の手段に係る遊技機は、第１の手段から第７の手段の何れか１つに係る遊技機において、  
前記スピーカの背面は、カバー（例えば、図５（Ａ）のカバー８２０）で覆われていることを特徴とする。
【手続補正７】
【補正対象書類名】明細書
【補正対象項目名】００２２
【補正方法】変更
【補正の内容】
【００２２】
また本発明の第９の手段に係る遊技用装置は、  
遊技媒体が流通する領域を有する遊技用装置であって、  
制御手段の制御によって音を放音するスピーカ、を備え、  
前記スピーカは、前記領域近傍に配置され、磁気キャンセルマグネットを有することを特徴とする。
【手続補正書】
【提出日】令和1年5月30日(2019.5.30)
【手続補正１】
【補正対象書類名】特許請求の範囲
【補正対象項目名】全文
【補正方法】変更
【補正の内容】
【特許請求の範囲】
【請求項１】
可変表示の表示結果が特定表示結果となったときに遊技者にとって有利な有利状態に制御可能な遊技機であって、
可変表示の実行条件が成立したが、未だ開始されていない可変表示に対応する保留表示を表示可能な保留表示手段と、
前記保留表示の態様を、該保留表示に対応する可変表示が開始される前に変化させることが可能な保留態様変更手段と、
前記保留表示の態様の変化の際に特定演出を実行可能な特定演出実行手段と、
態様が変化した保留表示に対応する可変表示が実行されるときには、態様が変化しない保留表示に対応する可変表示が実行されるときよりも高い割合で、前記特定演出に関連した関連演出を実行する関連演出実行手段と、を備え、
前記特定演出実行手段は、複数種類の前記特定演出のうちのいずれかの前記特定演出を実行し、
前記関連演出実行手段は、前記特定演出実行手段が実行した前記特定演出に対応する前記関連演出を実行する、遊技機。
【手続補正２】
【補正対象書類名】明細書
【補正対象項目名】０００７
【補正方法】変更
【補正の内容】
【０００７】
（１）  可変表示の表示結果が特定表示結果（大当り表示結果等）となったときに遊技者にとって有利な有利状態（大当り遊技状態等）に制御可能な遊技機（パチンコ遊技機１等）であって、
可変表示の実行条件が成立した（第１始動入賞口１３または第２始動入賞口１４に入賞したこと等）が、未だ開始されていない可変表示に対応する保留表示を表示可能な保留表示手段（演出制御用マイクロコンピュータ１００、演出表示装置９等）と、
前記保留表示の態様を、該保留表示に対応する可変表示が開始される前に変化させることが可能な保留態様変更手段（演出制御用マイクロコンピュータ１００、図２０のＳ７５９等）と、
前記保留表示の態様の変化の際に特定演出（保留変化演出等）を実行可能な特定演出実行手段（演出制御用マイクロコンピュータ１００は、図１６に示す保留変化演出を実行する等）と、
態様が変化した保留表示に対応する可変表示が実行されるときには、態様が変化しない保留表示に対応する可変表示が実行されるときよりも高い割合で、前記特定演出に関連した関連演出（リーチ時予告等）を実行する関連演出実行手段（演出制御用マイクロコンピュータ１００は、図２２のＳ９０４，Ｓ９０５に示すように、リーチ時の予告として保留変化演出を実行したキャラクタを表示する等）と、を備え、
前記特定演出実行手段は、複数種類の前記特定演出のうちのいずれかの前記特定演出を実行し（図１７に示すように、キャラクタＡまたはキャラクタＢにより保留変化演出を実行する等）、
前記関連演出実行手段は、前記特定演出実行手段が実行した前記特定演出に対応する前記関連演出を実行する（演出制御用マイクロコンピュータ１００は、図２２のＳ９０４，Ｓ９０５に示すように、リーチ時の予告として保留変化演出を実行したキャラクタを表示する等）。
【手続補正書】
【提出日】令和1年5月22日(2019.5.22)
【手続補正１】
【補正対象書類名】特許請求の範囲
【補正対象項目名】全文
【補正方法】変更
【補正の内容】
【特許請求の範囲】
【請求項１】
可変表示を行い、遊技者にとって有利な有利状態に制御可能な遊技機であって、
未だ開始されていない可変表示に関する情報を保留情報として記憶する保留記憶手段と、
演出を実行可能な演出実行手段と、を備え、
前記演出実行手段は、
保留情報に対応した保留表示を実行可能な保留表示手段と、
保留表示の表示態様を変化させる保留表示変化演出を実行可能な保留表示変化演出実行手段と、
可変表示の実行中に、当該可変表示に対応する対応表示の表示態様を変化させる対応表示変化演出を実行可能な対応表示変化演出実行手段と、
少なくとも前記保留表示の一部の視認が困難となる所定演出を実行可能な所定演出実行手段と、を含み、
前記所定演出により視認が困難となる保留表示に対応する可変表示において、高い割合で前記対応表示変化演出を実行することを特徴とする遊技機。
【手続補正２】
【補正対象書類名】明細書
【補正対象項目名】０００７
【補正方法】変更
【補正の内容】
【０００７】
（１）上記目的を達成するため、本願の第１の観点に係る遊技機は、
可変表示（例えば、特別図柄の可変表示）を行い、遊技者にとって有利な有利状態（例えば、大当りの遊技状態）に制御可能な遊技機（例えば、パチンコ遊技機１）であって、
未だ開始されていない可変表示に関する情報を保留情報として記憶する保留記憶手段（例えば、ステップＳ６０８等の処理を行い、保留情報を生成してＲＡＭ１２２に記憶する演出制御用ＣＰＵ１２０）と、
演出を実行可能な演出実行手段と、を備え、
前記演出実行手段は、
保留情報に対応した保留表示を実行可能な保留表示手段（例えば、ステップＳ６１５等の処理を行い、始動入賞記憶表示エリア５Ｈに保留表示を行う演出制御用ＣＰＵ１２０）と、
保留表示の表示態様を変化させる保留表示変化演出（例えば、始動入賞記憶表示エリア５Ｈにおける保留表示を変化させる保留表示変化演出）を実行可能な保留表示変化演出実行手段（例えば、ステップＳ６１１〜Ｓ６１５、Ｓ７０８の処理を実行して保留表示変化演出を行う演出制御用ＣＰＵ１２０）と、
可変表示の実行中に、当該可変表示に対応する対応表示（例えば、アクティブ表示）の表示態様を変化させる対応表示変化演出（例えば、アクティブ表示エリア５ＨＡにおけるアクティブ表示を変化させるアクティブ表示変化演出）を実行可能な対応表示変化演出実行手段（例えば、ステップＳ７００〜Ｓ７０７の処理を実行してアクティブ表示変化演出を行う演出制御用ＣＰＵ１２０）と、
少なくとも前記保留表示の一部の視認が困難となる所定演出（例えば、保留表示及びアクティブ表示を消去する入賞時フリーズ演出）を実行可能な所定演出実行手段（例えば、ステップＳ６０６〜Ｓ６０９の処理を実行して入賞時フリーズ演出を行う演出制御用ＣＰＵ１２０）と、を含み、
前記所定演出により視認が困難となる保留表示に対応する可変表示（例えば、入賞時フリーズ演出によって視認困難となった保留表示がターゲットになったときの可変表示）において、高い割合で前記対応表示変化演出を実行すること（例えば、演出制御用ＣＰＵ１２０が、ステップＳ７０４においてアクティブ表示が変化しやすいアクティブ表示変化演出決定テーブルを選択し、ステップＳ７０５においてアクティブ表示変化演出の有無を決定すること）を特徴とする。
【手続補正書】
【提出日】平成31年1月21日(2019.1.21)
【手続補正１】
【補正対象書類名】特許請求の範囲
【補正対象項目名】全文
【補正方法】変更
【補正の内容】
【特許請求の範囲】
【請求項１】
遊技者によって操作される操作部を有し、第１方向ヘ向けて付勢され、前記付勢に抗して前記操作部が押し込み操作された場合に前記第１方向とは反対の第２方向へ向けて移動する操作ボタン本体と、
前記操作ボタン本体の前記第２方向側に設けられた突起の位置に基づいて前記押し込み操作を検出する操作検出センサが実装されたセンサ基板と、
前記操作ボタン本体と前記センサ基板との間に配置され、前記第１方向側に前記操作ボタン本体が取り付けられ、前記第２方向側に前記センサ基板が取り付けられて、これらを支持するとともに、前記操作検出センサによる前記押し込み操作の検出を可能とするために、前記操作ボタン本体の操作に伴って移動する前記突起の移動経路に設けられ、前記移動経路を確保する貫通孔が形成された支持部材と、
を有する操作ボタンを備えたことを特徴とする遊技機。
【請求項２】
前面に操作部が設けられた前カバーと、背面に検出片が設けられた後カバーとが一体化された中空形状のボタン本体と、
前記ボタン本体の背後に配置され、前記ボタン本体を前面側及び背面側に移動自在に支持する支持部材と、
前記支持部材に取り付けられて、前記検出片の移動を検出することによって前記ボタン本体が操作されたことを検出する操作検出センサと、
前記ボタン本体の内部に配置され、前面に前記操作部を照明する光源が実装された照明基板と、を備え、
前記支持部材の前面に、前記後カバーを貫通して前記ボタン本体の内部に到達する支柱を立設し、
前記照明基板を、前記支柱の先端部に固定したことを特徴とする遊技機。
【手続補正書】
【提出日】平成31年1月18日(2019.1.18)
【手続補正１】
【補正対象書類名】特許請求の範囲
【補正対象項目名】全文
【補正方法】変更
【補正の内容】
【特許請求の範囲】
【請求項１】
Ｘ線を発生するＸ線管と、
Ｘ線検出器と通信する通信部と、
前記Ｘ線検出器と前記通信部との通信状態、および、前記Ｘ線管と前記Ｘ線検出器との位置関係に基づいて、前記Ｘ線管から発生させるＸ線を制御する制御部と、
を具備するＸ線診断システム。
【請求項２】
前記Ｘ線検出器と前記通信部との間の通信を確立する通信確立部と、
前記Ｘ線管と前記Ｘ線検出器とが正対しているか否かを判定する判定部と、を更に備え、
前記制御部は、
前記Ｘ線検出器と前記通信部との間の通信が確立され且つ前記Ｘ線管と前記Ｘ線検出器とが正対していると判定された場合、前記Ｘ線管からのＸ線の曝射を許可する、
請求項１記載のＸ線診断システム。
【請求項３】
前記判定部は、前記Ｘ線管の位置及び向きの少なくとも一つと前記Ｘ線検出器の位置及び向きの少なくとも一つとに基づいて前記Ｘ線管と前記Ｘ線検出器とが正対しているか否かを判定する、請求項２記載のＸ線診断システム。
【請求項４】
前記通信確立部は、前記Ｘ線管に設けられた第１指示器からの第１の通信確立信号と、前記Ｘ線検出器に設けられた第２指示器からの第２の通信確立信号との供給を受けた場合、前記Ｘ線検出器と前記通信部との間の通信を確立する、請求項２記載のＸ線診断システム。
【請求項５】
前記通信確立部は、前記Ｘ線管に設けられた前記第１指示器からの第１の解除信号と、前記Ｘ線検出器に設けられた前記第２指示器からの第２の解除信号との何れか一方の供給を受けた場合、前記Ｘ線検出器と前記通信部との間の通信の確立を解除する、請求項４記載のＸ線診断システム。
【請求項６】
前記通信確立部は、Ｘ線検査中において前記第１指示器からの前記第１の解除信号又は前記第２指示器からの前記第２の解除信号の供給を受けた場合、又は前記第１指示器からの前記第１の解除信号と前記第２指示器からの前記第２の解除信号との何れか一方の供給を受けた場合、前記Ｘ線検出器と前記通信部との間の通信の確立を解除しない、請求項５記載のＸ線診断システム。
【請求項７】
前記第１指示器と前記第２指示器とは、ユーザにより押下自在な機械的なスイッチを有する、請求項４記載のＸ線診断システム。
【請求項８】
前記第１指示器と前記第２指示器とは、前記スイッチに予め設定された特定の操作がなされた場合、前記第１の通信確立信号と前記第２の通信確立信号とをそれぞれ供給する、請求項７記載のＸ線診断システム。
【請求項９】
前記通信確立部は、第１のＸ線検出器との間で通信を確立している状態において第２のＸ線検出器との間で新たに通信を確立した場合、前記第１のＸ線検出器との間の通信の確立を解除する、請求項２記載のＸ線診断システム。
【請求項１０】
前記Ｘ線検出器は、可搬型の無線通信可能である、請求項１記載のＸ線診断システム。
【手続補正２】
【補正対象書類名】明細書
【補正対象項目名】０００５
【補正方法】変更
【補正の内容】
【０００５】
本実施形態に係るＸ線診断システムは、Ｘ線を発生するＸ線管と、Ｘ線検出器と通信する通信部と、前記Ｘ線検出器と前記通信部との通信状態、および、前記Ｘ線管と前記Ｘ線検出器との位置関係に基づいて、前記Ｘ線管から発生させるＸ線を制御する制御部と、を具備する。
【手続補正書】
【提出日】平成30年12月6日(2018.12.6)
【手続補正１】
【補正対象書類名】特許請求の範囲
【補正対象項目名】全文
【補正方法】変更
【補正の内容】
【特許請求の範囲】
【請求項１】
複数コマの図柄を可変表示させる複数の可変表示要素を有し、
遊技媒体の投入下における可変表示開始操作に基づいて、内部抽せん用の乱数値を抽出し、予め定義した複数の当せんエリアに対する抽出した前記乱数値の属否により、当せんエリアに含まれる、作動終了時の獲得遊技媒体数を調整可能にしたボーナスを含む所定の役の当否を決定する内部抽せん手段と、
前記可変表示要素の可変表示を、対応する停止操作に基づいて所定時間内で各停止させ、所定の有効ラインに前記内部抽せん手段により当せんと決定した当せんエリアに含まれる役に対応した図柄の組合せの表示を許容させる可変表示制御手段とを含む遊技機において、
前記ボーナスの作動中の遊技状態時、
設定した一遊技の最大配当数の遊技媒体を獲得できる第１高配当役及び第２高配当役と、前記第２高配当役の図柄の組合せと一部一致し且つ前記最大配当数に満たない遊技媒体を獲得できる中配当役と、前記中配当役と合算しても前記最大配当数に満たない遊技媒体を獲得できる低配当役とを重複当せんさせる当せんエリアを有し、
停止操作に応じて、前記第１高配当役の図柄の組合せを有効ラインに並べる第１出目と、
前記第１高配当役の構成図柄が有効ラインに表示されるのを前記中配当役の図柄の組合せと一部一致する前記第２高配当役の構成図柄を有効ラインに表示させることにより回避し、且つ、前記第２高配当役と一致しない前記中配当役の構成図柄が有効ラインに表示されると前記低配当役が有効ラインに並んで当せん役に係る図柄の組合せの数が増える関係になることにより前記第２高配当役でなく前記中配当役の構成図柄を有効ラインに表示させ、前記中配当役及び前記低配当役を有効ラインに並べる第２出目とを表示可能にしていることを特徴とする遊技機。
【請求項２】
前記第２出目を表示させるのに適合した停止操作をするも失敗して前記中配当役及び前記低配当役を有効ラインに並べる第２出目を表示できなかったとき、有効ラインに前記第２高配当役を含む最大配当数の遊技媒体を獲得できる高配当役を並べる第３出目を表示させる仕様にしている請求項１記載の遊技機。
【手続補正２】
【補正対象書類名】明細書
【補正対象項目名】０００６
【補正方法】変更
【補正の内容】
【０００６】
図面の符号を括弧内に付記して例示する。
複数コマの図柄を可変表示させる複数の可変表示要素（左リール１Ｌ，中リール１Ｃ，右リール１Ｒ）を有し、
遊技媒体の投入下における可変表示開始操作に基づいて、内部抽せん用の乱数値を抽出し、予め定義した複数の当せんエリアに対する抽出した前記乱数値の属否により、当せんエリアに含まれる、作動終了時の獲得遊技媒体数を調整可能にしたボーナスを含む所定の役の当否を決定する内部抽せん手段（Ｋ）と、
前記可変表示要素の可変表示を、対応する停止操作に基づいて所定時間内で各停止させ、所定の有効ラインに前記内部抽せん手段により当せんと決定した当せんエリアに含まれる役に対応した図柄の組合せの表示を許容させる可変表示制御手段（リール制御手段Ｖ）とを含む遊技機を前提とする。
「可変表示要素」は、リール、ベルト、画像を含む。「遊技媒体」は、遊技メダル、遊技球、貯留装置の電磁的記録を含む。
「作動終了時の獲得遊技媒体数を調整可能にした」とは、いわゆる枚数調整を可能にしたという意味である。なお、枚数調整可能なボーナスの他、枚数調整不可能なボーナス（例えば、枚数調整する意義の低い単独ボーナスや、顕著に高い純増枚数やアシストタイム等のプラスアルファの特典を重視するプレミアムボーナス等）を「所定の役」に含んでいてもよい。
「ボーナス」には、特別役物を連続して作動させる役物連続作動装置を含む。
【手続補正３】
【補正対象書類名】明細書
【補正対象項目名】０００７
【補正方法】変更
【補正の内容】
【０００７】
以上の遊技機において、
前記ボーナスの作動中の遊技状態時（ＲＢ作動中）、
設定した一遊技の最大配当数（１５枚）の遊技媒体を獲得できる第１高配当役（ＮＭＬ１）及び第２高配当役（ＮＭＬ８）と、前記第２高配当役の図柄の組合せと一部一致し且つ前記最大配当数に満たない遊技媒体（例えば１２枚）を獲得できる中配当役（ＮＭＬ９）と、前記中配当役と合算しても前記最大配当数に満たない遊技媒体（例えば１枚）を獲得できる低配当役（ＮＭＬ１０，ＮＭＬ１１）とを重複当せんさせる当せんエリア（ＲＢ中１）を有する。
【手続補正４】
【補正対象書類名】明細書
【補正対象項目名】０００８
【補正方法】変更
【補正の内容】
【０００８】
また、前記ボーナスの作動中の遊技状態時（ＲＢ作動中）、
停止操作に応じて、前記第１高配当役の図柄の組合せ（「ベル」−「ベル」−「ベル」）を有効ラインに並べる第１出目と、
前記第１高配当役の構成図柄（ベル）が有効ラインに表示されるのを前記中配当役の図柄の組合せと一部一致する前記第２高配当役の構成図柄（リプレイ）を有効ラインに表示させることにより回避し、且つ、前記第２高配当役と一致しない前記中配当役の構成図柄（青７）が有効ラインに表示されると前記低配当役が有効ラインに並んで当せん役に係る図柄の組合せの数が増える関係になることにより前記第２高配当役でなく前記中配当役の構成図柄（青７）を有効ラインに表示させ、前記中配当役及び前記低配当役を有効ラインに並べる第２出目とを表示可能にしている。
【手続補正５】
【補正対象書類名】明細書
【補正対象項目名】０００９
【補正方法】変更
【補正の内容】
【０００９】
これにより、中配当役及び低配当役を有効ラインに並べて最大配当数に満たない遊技媒体を獲得する第２出目を表示させる際、中配当役の図柄の組合せと一部一致する第２高配当役の構成図柄を有効ラインに並べる制御は、入賞した場合に最も配当が多くなる枚数優先に従う停止制御により簡易且つ公正に実現でき、第２高配当役と一致しない中配当役の構成図柄を有効ラインに並べる制御は、入賞となる図柄の組合せの個数が最も多くなる個数優先に従う停止制御により簡易且つ公正に実現できる。よって、ボーナスの作動中の遊技状態時、第１出目の表示に第２出目の表示を織り交ぜ、総獲得遊技媒体数をより多くする枚数調整制御が簡易且つ公正に実現できる。
【手続補正６】
【補正対象書類名】明細書
【補正対象項目名】００１１
【補正方法】変更
【補正の内容】
【００１１】
これにより、中配当役及び低配当役を有効ラインに並べて最大配当数に満たない遊技媒体を獲得する第２出目の表示を逸しても、第３出目の表示により、最大配当数の遊技媒体を獲得できる。また、ボーナスの作動終了となる最終ゲームを除き、第２出目の再度の表示機会を奪うことにもならない。よって、遊技者利益に適い、より多く遊技者を満足させることができる。
【手続補正書】
【提出日】平成30年11月20日(2018.11.20)
【手続補正１】
【補正対象書類名】特許請求の範囲
【補正対象項目名】全文
【補正方法】変更
【補正の内容】
【特許請求の範囲】
【請求項１】
注射器に装着されるキャップが載置される注射針リキャップ器において、
上部の本体部と、下部の基底部と、前記本体部と前記基底部とを連結する連結部とからなり、
前記本体部は、前記キャップを挿通および保持可能な保持孔を、前記基底部は、下端に設置面を備え、
さらに前記本体部と前記基底部との間には、側方から手指で前記キャップを固定することが可能な空間を有することを特徴とする注射針リキャップ器。
【請求項２】
前記保持孔の軸心と前記設置面を含む平面との交点から前記保持孔の中央上端までの距離が、前記キャップの豊隆部の先端部中央から前記キャップの先端部までの距離よりも大きく設定された請求項１に記載の注射針リキャップ器。
【請求項３】
所定の高さを有する前記連結部が、前記設置面に対して斜めに設けられた請求項１または２に記載の注射針リキャップ器。
【請求項４】
注射器に装着されるキャップが載置される注射針リキャップ器において、
前記注射器を載置する基底部と、
前記基底部と連結されるリキャップ部材と、を備え、
前記リキャップ部材は、
前記キャップを保持する保持孔を有する本体部を備えることを特徴とする注射針リキャップ器。
【請求項５】
前記リキャップ部材は、前記本体部と一体に形成される姿勢調整部を備えることを特徴とする請求項４に記載の注射針リキャップ器。
【請求項６】
前記リキャップ部材は、前記本体部と前記姿勢調整部との境界近傍に前記基底部との連結部を備えることを特徴とする請求項５に記載の注射針リキャップ器。
【請求項７】
前記連結部は、前記リキャップ部材と前記基底部とが互いに回転運動可能となるように構成されていることを特徴とする請求項６に記載の注射針リキャップ器。
【請求項８】
前記キャップの後端、または前記豊隆部の後端に係合するキャップ逸脱防止部を備えた請求項４から７のいずれかに記載の注射針リキャップ器。
【手続補正書】
【提出日】平成30年12月6日(2018.12.6)
【手続補正１】
【補正対象書類名】特許請求の範囲
【補正対象項目名】全文
【補正方法】変更
【補正の内容】
【特許請求の範囲】
【請求項１】
複数コマの図柄を可変表示させる複数の可変表示要素を有し、
遊技媒体の投入下における可変表示開始操作に基づいて、内部抽せん用の乱数値を抽出し、予め定義した複数の当せんエリアに対する抽出した前記乱数値の属否により、当せんエリアに含まれる、ボーナスを含む所定の役の当否を決定する内部抽せん手段と、
前記可変表示要素の可変表示を、対応する停止操作に基づいて所定時間内で各停止させ、所定の有効ラインに前記内部抽せん手段により当せんと決定した当せんエリアに含まれる役に対応した図柄の組合せの表示を許容させる可変表示制御手段とを含む遊技機において、
前記ボーナスの作動中の遊技状態時、前記ボーナスの作動中以外の遊技状態時に当せん役としないが表示を許容させる特定図柄の組合せの表示により入賞とする増加役を当せんさせる当せんエリアを設けると共に、前記ボーナスの作動中以外の遊技状態時に前記増加役と同じ図柄の組合せの表示を許容させる当せんエリア及び前記増加役の当せんとならない当せんエリアを設けない仕様にしていることを特徴とする遊技機。
【請求項２】
前記増加役は、設定した一遊技の最大配当数よりも少ない遊技媒体を獲得することとなる図柄の組合せを有効ラインに表示可能とする枚数調整役から成る請求項１記載の遊技機。
【手続補正２】
【補正対象書類名】明細書
【補正対象項目名】０００７
【補正方法】変更
【補正の内容】
【０００７】
図面の符号を括弧内に付記して例示する。
複数コマの図柄を可変表示させる複数の可変表示要素（左リール１Ｌ，中リール１Ｃ，右リール１Ｒ）を有し、
遊技媒体の投入下における可変表示開始操作に基づいて、内部抽せん用の乱数値を抽出し、予め定義した複数の当せんエリアに対する抽出した前記乱数値の属否により、当せんエリアに含まれる、ボーナスを含む所定の役の当否を決定する内部抽せん手段（Ｋ）と、
前記可変表示要素の可変表示を、対応する停止操作に基づいて所定時間内で各停止させ、所定の有効ラインに前記内部抽せん手段により当せんと決定した当せんエリアに含まれる役に対応した図柄の組合せの表示を許容させる可変表示制御手段（リール制御手段Ｖ）とを含む遊技機を前提とする。
「可変表示要素」は、リール、ベルト、画像を含む。「遊技媒体」は、遊技メダル、遊技球、貯留装置の電磁的記録を含む。
「ボーナス」には、特別役物を連続して作動させる役物連続作動装置を含み、いわゆる枚数調整が可能なボーナスの他、枚数調整不可能なボーナス（例えば、枚数調整する意義の低い単独ボーナスや、顕著に高い純増枚数やアシストタイム等のプラスアルファの特典を重視するプレミアムボーナス等）を含む。
【手続補正３】
【補正対象書類名】明細書
【補正対象項目名】０００８
【補正方法】変更
【補正の内容】
【０００８】
以上の遊技機において、
前記ボーナスの作動中の遊技状態時（ＲＢ作動中）、前記ボーナスの作動中以外の遊技状態時に当せん役としないが表示を許容させる特定図柄の組合せ（「ベル」−「リプレイ」−「リプレイ」等）の表示により入賞とする増加役（ＮＭＬ８等）を当せんさせる当せんエリア（当せんエリア番号１「ＲＢ中１」，同２「ＲＢ中２」）を設けると共に、前記ボーナスの作動中以外の遊技状態時に前記増加役と同じ図柄の組合せの表示を許容させる当せんエリア（当せんエリア番号５「チェリー」等）及び前記増加役の当せんとならない当せんエリア（ＮＭＬ８等の当せんとならない当せんエリア番号０「不当せん」等）を設けない仕様にしている。
【手続補正４】
【補正対象書類名】明細書
【補正対象項目名】０００９
【補正方法】変更
【補正の内容】
【０００９】
これにより、ボーナスの作動中の遊技状態時、増加役に対応した特定図柄の組合せの表示を回避すべき停止制御をする必要はなく、停止制御を複雑にすることなく、ボーナスの作動中の遊技状態時に増加役を適切に設けることができ、ボーナスの作動中の遊技興趣を高め得る。
【手続補正５】
【補正対象書類名】明細書
【補正対象項目名】００１１
【補正方法】変更
【補正の内容】
【００１１】
これにより、ボーナスの作動が獲得遊技媒体数の上限超過により終了するものとした場合に、途中に枚数調整役から成る増加役を表示させて、設定した一遊技の最大配当数よりもあえて少ない遊技媒体を獲得することにより、上限超過となる最終ゲーム前までの獲得遊技媒体数をできるだけ多く確保しておくことができる。よって、最終的に獲得できる総遊技媒体数をより多くすることができ、ボーナスの作動中の遊技興趣を効果的に高め得る。
【手続補正書】
【提出日】平成31年1月17日(2019.1.17)
【手続補正１】
【補正対象書類名】特許請求の範囲
【補正対象項目名】全文
【補正方法】変更
【補正の内容】
【特許請求の範囲】
【請求項１】
開口部が設けられる基台と、
前記基台に取り付けられ、孔が設けられ、前記開口部を覆うカバーと、
前記基台の内部に設けられる発熱部材と、
前記発熱部材に着脱可能に設けられた熱伝導部材と、
を有し、
前記熱伝導部材は、前記孔に挿通されていることを特徴とするロボット。
【請求項２】
請求項１に記載のロボットにおいて、
前記発熱部材は、モーターであることを特徴とするロボット。
【請求項３】
請求項１又は２に記載のロボットにおいて、
前記熱伝導部材に着脱可能に設けられた冷却部材を有することを特徴とするロボット。
【請求項４】
請求項３に記載のロボットにおいて、
前記冷却部材は、ヒートシンクを含むことを特徴とするロボット。
【請求項５】
請求項３又は４に記載のロボットにおいて、
前記冷却部材は、ファンを含むことを特徴とするロボット。
【請求項６】
請求項１〜５のいずれか一項に記載のロボットにおいて、
前記熱伝導部材は、第１熱伝導部材と第２熱伝導部材とを有し、
前記第１熱伝導部材は、前記発熱部材に接する熱伝導シートであることを特徴とするロボット。
【請求項７】
請求項６に記載のロボットにおいて、
封止部材を有し、
前記封止部材は、前記カバーと前記第２熱伝導部材との間に設けられていることを特徴とするロボット。
【請求項８】
請求項３に記載のロボットにおいて、
前記冷却部材に電力を供給する電源を有することを特徴とするロボット。
【手続補正２】
【補正対象書類名】明細書
【補正対象項目名】発明の名称
【補正方法】変更
【補正の内容】
【発明の名称】ロボット
【手続補正３】
【補正対象書類名】明細書
【補正対象項目名】０００１
【補正方法】変更
【補正の内容】
【０００１】
本発明は、ロボットに関するものである。
【手続補正書】
【提出日】平成30年12月19日(2018.12.19)
【手続補正１】
【補正対象書類名】特許請求の範囲
【補正対象項目名】全文
【補正方法】変更
【補正の内容】
【特許請求の範囲】
【請求項１】
主走査方向に移動可能なキャリッジと、
前記キャリッジに搭載される撮像装置と、
前記キャリッジに搭載され、液体を吐出可能である印刷部と、
前記キャリッジに搭載され、少なくとも前記撮像装置の一部を覆うことが可能
なシャッターと、
前記シャッターを移動させるためのノック機構と、
を含むことを特徴とする印刷装置。
【請求項２】
請求項１に記載の印刷装置において、
前記印刷部をメンテナンスするメンテナンス部をさらに含み、
前記キャリッジから前記主走査方向の一方の側に前記メンテナンス部が配置され、
前記キャリッジの前記主走査方向の他方端側に、前記撮像装置が配置されたことを特徴とする印刷装置。
【請求項３】
請求項１または請求項２に記載の印刷装置において、
前記ノック機構に含まれるノック部を押し当てるための押し当て部をさらに含み、
前記押し当て部は弾性体であることを特徴とする印刷装置。
【手続補正２】
【補正対象書類名】明細書
【補正対象項目名】０００５
【補正方法】変更
【補正の内容】
【０００５】
本発明は、上述の課題の少なくとも一部を解決するためになされたものであり、以下の形態または適用例として実現することが可能である。
本発明の一態様の印刷装置は、主走査方向に移動可能なキャリッジと、前記キャリッジに搭載される撮像装置と、前記キャリッジに搭載され、液体を吐出可能である印刷部と、前記キャリッジに搭載され、少なくとも前記撮像装置の一部を覆うことが可能なシャッターと、前記シャッターを移動させるためのノック機構と、を含むことを特徴とする。
【手続補正書】
【提出日】平成30年12月25日(2018.12.25)
【手続補正１】
【補正対象書類名】特許請求の範囲
【補正対象項目名】全文
【補正方法】変更
【補正の内容】
【特許請求の範囲】
【請求項１】
振動板と、
前記振動板の上方に設けられた第１電極層と、
前記第１電極層の上方に設けられた圧電体層と、
前記圧電体層の上方に設けられた第２電極層と、
前記第２電極層の上方に設けられた第１絶縁層と、
前記第１絶縁層に設けられたコンタクトホールを介して、前記第１電極層または前記第２電極層と電気的に接続されている配線層と、
前記第１絶縁層の上方に設けられた第２絶縁層と、
を含み、
前記第２絶縁層の上面と前記配線層の上面とは、同一平面内にあり、
前記コンタクトホールは、前記振動板の平面視において、前記振動板の節部に設けられている、圧電駆動装置。
【請求項２】
振動板と、
前記振動板の上方に設けられた第１電極層と、
前記第１電極層の上方に設けられた圧電体層と、
前記圧電体層の上方に設けられた第２電極層と、
前記第２電極層の上方に設けられた第１絶縁層と、
前記第１絶縁層に設けられたコンタクトホールを介して、前記第２電極層と電気的に接続されている配線層と、
前記第１絶縁層の上方に設けられた第２絶縁層と、
前記第１電極層と前記第２電極層との間に設けられている能動部と、
前記第２電極層の上方に設けられているコンタクトホールと、
を含み、
前記配線層の上面と前記第２絶縁層の上面とは、同一平面内にあり、
平面視において、前記コンタクトホールの前記振動板の長手方向の大きさは、前記コンタクトホールの前記長手方向と直交する方向の大きさよりも小さい、圧電駆動装置。
【請求項３】
請求項２において、
前記圧電体層は、
前記振動板を前記長手方向に伸縮させる運動に寄与する第１能動部と、
前記振動板を前記長手方向と直交する方向に屈曲させる運動に寄与する第２能動部と、を有し、
前記コンタクトホールは、前記第１能動部の上方および前記第２能動部の上方に設けられている、圧電駆動装置。
【請求項４】
請求項１ないし３のいずれか１項において、
前記振動板、前記第１電極層、前記圧電体層、前記第２電極層、前記第１絶縁層、前記配線層、および前記第２絶縁層は、振動ユニットを構成し、
前記振動ユニットは、複数設けられ、
複数の前記振動ユニットは、前記振動板の板面に垂直な方向に重なるように配置されている、圧電駆動装置。
【請求項５】
請求項１ないし４のいずれか１項に記載の圧電駆動装置と、
前記圧電駆動装置によって回転されるローターと、
を含む、モーター。
【請求項６】
複数のリンク部と、
複数の前記リンク部を接続する関節部と、
複数の前記リンク部を前記関節部で回動させる請求項１ないし４のいずれか１項に記載の圧電駆動装置と、
を含む、ロボット。
【請求項７】
請求項１ないし４のいずれか１項に記載の圧電駆動装置と、
液体を輸送するチューブと、
前記圧電駆動装置の駆動によって前記チューブを閉塞する複数のフィンガーと、
を含む、ポンプ。
【手続補正書】
【提出日】平成31年1月17日(2019.1.17)
【手続補正１】
【補正対象書類名】特許請求の範囲
【補正対象項目名】全文
【補正方法】変更
【補正の内容】
【特許請求の範囲】
【請求項１】
表示画面を備えた表示部と、
前記表示制御部は、複数の眼用装着具の装着状態を示す装着情報に基づいて、前記表示画面の輝度およびカラーマップの少なくとも一方を設定する表示制御部と、を有し、
前記装着情報は、前記複数の眼用装着具が操作者によって着用されているか否かを示す情報を含み、
前記表示制御部は、前記装着情報が所定の基準を満足しない場合に、前記表示部に、前記複数の眼用装着具のうちの一以上の眼用装着具を変更するように促す表示を行うこと
を特徴とする表示システム。
【請求項２】
前記装着情報を取得する装着情報取得部をさらに備えることを特徴とする請求項１に記載の表示システム。
【請求項３】
前記装着情報取得部は撮像部を有し、
前記装着情報取得部は、前記撮像部で取得された画像から前記装着情報を取得することを特徴とする請求項２に記載の表示システム。
【請求項４】
前記複数の眼用装着具のうちの少なくとも一つが有色の光透過部を備える場合に、前記装着情報取得部は、前記光透過部の色に関する情報をさらに取得することを特徴とする請求項２または３に記載の表示システム。
【請求項５】
前記装着情報取得部は、前記複数の眼用装着具から前記装着情報を受信する受信部を有することを特徴とする請求項２に記載の表示システム。
【請求項６】
前記装着情報取得部は、操作者による前記装着情報の入力を受け付ける入力部をさらに備えることを特徴とする請求項２〜５のいずれか１項に記載の表示システム。
【請求項７】
タブレット状端末として構成されたことを特徴とする請求項１〜６のいずれか１項に記載の表示システム。
【請求項８】
前記所定の基準は、前記複数の眼用装着具の合成透過スペクトルに基づいて決定されることを特徴とする請求項１〜７のいずれか１項に記載の表示システム。
【請求項９】
表示部を備えた表示システムの制御方法であって、
複数の眼用装着具の装着状態を示す装着情報の入力に基づいて、前記表示部の輝度及びカラーマップの少なくとも一方を設定し、
前記装着情報は、前記複数の眼用装着具が操作者によって着用されているか否かを示す情報を含み、
前記装着情報が所定の基準を満足しない場合に、前記表示部に、前記複数の眼用装着具のうちの一以上の眼用装着具を変更するように促す表示を行うこと
を特徴とする表示システムの制御方法。
【請求項１０】
前記装着状態の入力および前記複数の眼用装着具のうちの少なくとも１つが有する光透過部の色に関する情報の入力を、前記表示部により促すことを特徴とする請求項９に記載の表示システムの制御方法。
【請求項１１】
前記装着状態の入力が行われた後に、前記光透過部の色に関する情報の入力を前記表示部により促すことを特徴とする請求項１０に記載の表示システムの制御方法。
【請求項１２】
撮像部により取得された画像から、前記複数の眼用装着具の装着状態を判定することを特徴とする請求項９〜１１のいずれか１項に記載の表示システムの制御方法。
【請求項１３】
撮像手段により取得された画像から、前記複数の眼用装着具のうちの少なくとも１つが有する光透過部の色に関する情報を取得することを特徴とする請求項９〜１２のいずれか１項に記載の表示システムの制御方法。
【請求項１４】
前記複数の眼用装着具のうちの少なくとも１つから入力された装着状態及び前記複数の眼用装着具のうちの少なくとも１つが有する光透過部の色に関する情報に基づいて、前記表示部の輝度及びカラーマップの少なくとも一方を設定することを特徴とする請求項９〜１３のいずれか１項に記載の表示システムの制御方法。
【請求項１５】
複数のカラーマップの中から、前記設定するカラーマップを選択することを促すことを特徴とする請求項９〜１４のいずれか１項に記載の表示システムの制御方法。
【請求項１６】
前記複数の眼用装着具がユーザに装着された状態であると判定した場合に、
前記表示システムと連動する、レーザー光源を備えた測定装置に対して、レーザー光源からのレーザー光の射出を許可する信号を送信することを特徴とする
請求項９〜１５のいずれか１項に記載の表示システムの制御方法。
【請求項１７】
前記測定装置は、光音響装置である請求項１６に記載の表示システムの制御方法。
【請求項１８】
前記所定の基準は、前記複数の眼用装着具の合成透過スペクトルに基づいて決定されることを特徴とする請求項９〜１７のいずれか１項に記載の表示システムの制御方法。
【手続補正２】
【補正対象書類名】明細書
【補正対象項目名】０００７
【補正方法】変更
【補正の内容】
【０００７】
本発明に係る表示システムは、表示画面を備えた表示部と、前記表示制御部は、複数の眼用装着具の装着状態を示す装着情報に基づいて、前記表示画面の輝度およびカラーマップの少なくとも一方を設定する表示制御部と、を有し、前記装着情報は、前記複数の眼用装着具が操作者によって着用されているか否かを示す情報を含み、前記表示制御部は、前記装着情報が所定の基準を満足しない場合に、前記表示部に、前記複数の眼用装着具のうちの一以上の眼用装着具を変更するように促す表示を行うことを特徴とする。
【手続補正３】
【補正対象書類名】明細書
【補正対象項目名】０００９
【補正方法】変更
【補正の内容】
【０００９】
本発明に係る表示システムの制御方法は、複数の眼用装着具の装着状態を示す装着情報の入力に基づいて、前記表示部の輝度及びカラーマップの少なくとも一方を設定し、前記装着情報は、前記複数の眼用装着具が操作者によって着用されているか否かを示す情報を含み、前記装着情報が所定の基準を満足しない場合に、前記表示部に、前記複数の眼用装着具のうちの一以上の眼用装着具を変更するように促す表示を行うことを特徴とする。
【手続補正書】
【提出日】平成30年11月21日(2018.11.21)
【手続補正１】
【補正対象書類名】特許請求の範囲
【補正対象項目名】全文
【補正方法】変更
【補正の内容】
【特許請求の範囲】
【請求項１】
ポリオレフィン成分を多孔質フィルム全体の体積に対して８０体積％以上含む多孔質フィルムと、耐熱樹脂を含む多孔質層と、を備える積層多孔質フィルムであって、
前記多孔質フィルムの膜厚が、５μｍ以上、２０μｍ以下であり、
前記積層多孔質フィルムの膜厚が、６μｍ以上、２５μｍ以下であり、
前記積層多孔質フィルムのガーレー値が、２５０sec／１００ｍＬ以下であり、
前記積層多孔質フィルムの突き刺し強度および前記積層多孔質フィルムから前記多孔質層を除去した後の前記多孔質フィルムの突き刺し強度が、下記式（１）および（２）を満たすことを特徴とする、非水電解液二次電池用積層セパレータ。
式（１）：２ｇｆ  ≦  Ｓｐ−Ｓ  ≦  ２５ｇｆ
式（２）：３００ｇｆ  ≦  Ｓ  ≦  ４００ｇｆ
（ここで、Ｓは積層多孔質フィルムの突き刺し強度を表し、Ｓｐは上記積層多孔質フィルムから多孔質層を除去した後に残った多孔質フィルムの突き刺し強度を表す）。
【請求項２】
前記耐熱樹脂が芳香族ポリアミドである、請求項１に記載の非水電解液二次電池用積層セパレータ。
【請求項３】
前記多孔質層が、さらにフィラーを含んでおり、
前記フィラーおよび前記耐熱樹脂の総量に占める前記フィラーの割合が、５０質量％以上、９９質量％以下であることを特徴とする、請求項１または２に記載の非水電解液二次電池用積層セパレータ。
【請求項４】
前記多孔質フィルムの膜厚が、６μｍ以上、１４μｍ以下であることを特徴とする、請求項１〜３の何れか１項に記載の非水電解液二次電池用積層セパレータ。
【請求項５】
正極と、請求項１〜４の何れか１項に記載の非水電解液二次電池用積層セパレータと、負極とがこの順で配置されてなることを特徴とする、非水電解液二次電池用部材。
【請求項６】
請求項１〜４の何れか１項に記載の非水電解液二次電池用積層セパレータを含むことを特徴とする、非水電解液二次電池。
【手続補正書】
【提出日】平成30年11月21日(2018.11.21)
【手続補正１】
【補正対象書類名】特許請求の範囲
【補正対象項目名】全文
【補正方法】変更
【補正の内容】
【特許請求の範囲】
【請求項１】
ポリエチレンを９０体積％以上含む延伸フィルムである、多孔質フィルムであって、
膜厚が２０μｍ以下であり、
空隙率が２０〜５５％であり、
４７ｍｍ×３５ｍｍの矩形状の穴を有する枠とプレートとの間に、前記穴の長辺がＭＤと平行になるように前記多孔質フィルムを配置し、前記多孔質フィルムを前記枠と前記プレートとで挟持し、前記穴の中心の上方から直径１４．３ｍｍ、重さ１１．９ｇの球を前記多孔質フィルム上に自由落下させたときの前記多孔質フィルムの裂けの有無を確認する落球試験を球の高さを変えながら、裂けが確認された落球試験の回数、および、裂けが確認されなかった落球試験の回数のいずれもが５回以上になるまで繰り返し、裂けが確認された落球試験の中で最低の球の高さが５０ｃｍ以上１５０ｃｍ以下であることを特徴とする非水電解液二次電池用セパレータと、
樹脂を含む多孔質層と、を備える非水電解液二次電池用積層セパレータ。
【請求項２】
ポリエチレンを９０体積％以上含む延伸フィルムであり、膜厚が２０μｍ以下であり、空隙率が２０〜５５％である、多孔質フィルムである非水電解液二次電池用セパレータと、
前記非水電解液二次電池用セパレータに積層された樹脂を含む多孔質層と、を備える非水電解液二次電池用積層セパレータであって、
４７ｍｍ×３５ｍｍの矩形状の穴を有する枠とプレートとの間に、前記穴の長辺がＭＤと平行になるように前記非水電解液二次電池用積層セパレータを配置し、前記非水電解液二次電池用積層セパレータを前記枠と前記プレートとで挟持し、前記穴の中心の上方から直径１４．３ｍｍ、重さ１１．９ｇの球を前記非水電解液二次電池用積層セパレータ上に自由落下させたときの前記非水電解液二次電池用積層セパレータの裂けの有無を確認する落球試験を球の高さを変えながら、裂けが確認された落球試験の回数、および、裂けが確認されなかった落球試験の回数のいずれもが５回以上になるまで繰り返し、裂けが確認された落球試験の中で最低の球の高さが５０ｃｍ以上１５０ｃｍ以下であることを特徴とする非水電解液二次電池用積層セパレータ。
【請求項３】
前記樹脂が芳香族ポリアミドである、請求項１または２に記載の非水電解液二次電池用積層セパレータ。
【請求項４】
正極と、請求項１〜３のいずれか１項に記載の非水電解液二次電池用積層セパレータと、負極とがこの順で配置されてなることを特徴とする、非水電解液二次電池用部材。
【請求項５】
請求項１〜３のいずれか１項に記載の非水電解液二次電池用積層セパレータを備えることを特徴とする非水電解液二次電池。
【手続補正２】
【補正対象書類名】明細書
【補正対象項目名】００８７
【補正方法】変更
【補正の内容】
【００８７】
透気度が上記範囲未満の場合には、積層セパレータの空隙率が高いために積層セパレータの積層構造が粗になっていることを意味し、結果としてセパレータの強度が低下して、特に高温での形状安定性が不充分になるおそれがある。一方、透気度が上記範囲を超える場合には、上記積層セパレータを非水電解液二次電池用の部材として使用した場合に、充分なイオン透過性を得ることができず、非水電解液二次電池の電池特性を低下させることがある。